(57)【要約】      （修正有）【課題】モーターの温度上昇問題を解決し、かつ、気流の拡散性が小さく、標的性が強い混合流扇風機を提供する。【解決手段】一つの本体と、一つのモーターと、一つの混合流羽根車とがあり、モーターは本体の中に固定され、混合流羽根車はモーターと接続され、そしてモーターと同軸で、それに回転できるように本体の中に位置し、それに、モーターは混合流羽根車の前に位置する。【選択図】図２
0003161003.tif 000002
【実用新案登録請求の範囲】
【請求項１】
一つの本体と、
本体の中に固定された一つのモーターと、
前記モーターと接続された一つの混合流羽根車とがあり、前記混合流羽根車は前記モーターと同軸で、それに回転できるように前記本体の中に位置し、前記モーターは混合流羽根車の前に位置する混合流扇風機。
【請求項２】
前記本体には一つの前カバーと、一つの後カバーと、そして前記前カバーと後カバーの間に同軸に固定された一つの風向誘導装置とがあり、前記混合流羽根車は後カバーの中に位置し、前記モーターは風向誘導装置と固定されることを特徴とする請求項１に記載の混合流扇風機。
【請求項３】
前記混合流羽根車には一つのハブと、前記ハブの外側に均一間隔で固定された複数の回転羽根とがあり、前記ハブの正面は平面で、背面は放物線カーブであることを特徴とする請求項２に記載の混合流扇風機。
【請求項４】
前記回転羽根の形は均等厚さの弧形であることを特徴とする請求項３に記載の混合流扇風機。
【請求項５】
前記回転羽根のカーブは対数インボリュートの曲線であることを特徴とする請求項３に記載の混合流扇風機。
【請求項６】
前記回転羽根の投影は前傾になることを特徴とする請求項３に記載の混合流扇風機。
【請求項７】
前記回転羽根の取付角は３０〜４０度、空間歪曲は−１１〜−７度であることを特徴とする請求項３に記載の混合流扇風機。
【請求項８】
前記風向誘導装置には一つの外スリーブと、一つの内スリーブと、そして前記外スリーブと内スリーブの間に均一間隔で固定され、そして風向誘導の役割を果たす複数の固定羽根とがあることを特徴とする請求項２に記載の混合流扇風機。
【請求項９】
前記固定羽根の形は均等厚さの弧形であることを特徴とする請求項８に記載の混合流扇風機。
【請求項１０】
前記前カバーは円錐台のスリーブで、その後部はその前部より大きいことを特徴とする請求項２に記載の混合流扇風機。
【考案の詳細な説明】
【技術分野】
【０００１】
本考案は一種の扇風機に関し、特に一種の混合流扇風機に関する。
【背景技術】
【０００２】
扇風機には、気流を加速させることや、空気を交換することや、放熱することや、かき回すことなどの機能があり、広く利用されており、例えば、空気交換用の扇風機や、送風機などである。従来の扇風機は軸流式と、遠心分離式との二種類に分け、前記二種の扇風機にはすべて一つの本体と、一つの羽根車と、一つのモーターとがあり、羽根車が本体内で自由に回転できるために、前記モーターは本体の中に固定され、そして、羽根車と接続される。従来の扇風機には、前記モーターはすべて羽根車の後ろに設置される。モーターが羽根車の後ろに設置され、羽根車の前の気流の流動速度が速いのに対し、羽根車の後の気流の流動速度が遅いので、モーターの温度上昇によって産生した熱エネルギーをつれていくことができなく、モーターの温度上昇問題がうまく解決できない。
【考案の概要】
【考案が解決しようとする課題】
【０００３】
本考案の目的として、一種の混合流扇風機を提供し、モーターの温度上昇問題がうまく解決できないという従来扇風機の問題を解決する。
【課題を解決するための手段】
【０００４】
本考案は以下の技術手段を採用し、
混合流扇風機には、
一つの本体と、
本体の中に固定された一つのモーターと、
前記モーターと接続された一つの混合流羽根車とがあり、前記混合流羽根車は前記モーターと同軸で、それに回転できるように前記本体の中に位置し、前記モーターは混合流羽根車の前に位置する混合流扇風機である。
【０００５】
もっとも好ましい実施例において、前記本体には一つの前カバーと、一つの後カバーと、そして前記前カバーと前記後カバーの間に同軸に固定された一つの風向誘導装置とがあり、前記混合流羽根車は後カバーの中に位置し、前記モーターは風向誘導装置と固定される。
【０００６】
もっとも好ましい実施例において、前記混合流羽根車には一つのハブと、前記ハブの外側に均一間隔で固定された複数の回転羽根とがあり、前記ハブの正面は平面で、背面は放物線カーブである。
【０００７】
もっとも好ましい実施例において、前記回転羽根の形は均等な厚さの弧形である。
【０００８】
もっとも好ましい実施例において、前記回転羽根のカーブは対数インボリュートの曲線である。
【０００９】
もっとも好ましい実施例において、前記回転羽根の投影は前傾になる。
【００１０】
もっとも好ましい実施例において、前記回転羽根の取付角は３０〜４０度、空間歪曲は−１１〜−７度である。
【００１１】
もっとも好ましい実施例において、前記風向誘導装置には一つの外スリーブと、一つの内スリーブと、そして前記外スリーブと内スリーブの間に均一間隔で固定され、そして風向誘導の役割を果たす複数の固定羽根とがある。
【００１２】
もっとも好ましい実施例において、前記固定羽根の形は均等な厚さの弧形である。
【００１３】
もっとも好ましい実施例において、前記前カバーは円錐台のスリーブで、その後部はその前部より大きい。
【００１４】
本技術手段は従来技術と比べると、モーターが混合流羽根車の前に位置するので、モーターの温度上昇によって産生した熱エネルギーを混合流羽根車からの高速気流につれていくことができ、モーターの温度上昇問題をうまく解決できる。それに、混合流羽根車の前には風向誘導装置が設置されるので、その風向誘導装置によって、混合流羽根車に加速された高速高静圧気流の風向が誘導でき、そして、静圧を動圧に変換させ、本機構の作業効率大幅に高めることができ、気流を高速で螺旋状で前に流し、螺旋状に流出した気流の広がり角がちいさく方向性が強く、かつその射距離が遠くなる。また、前記羽根車は混合流羽根車で、羽根車は軸流と遠心分離の混合的な作動原理を採用するので、その流量が大きく、風圧が高く、射距離が遠い。それに、前記前カバーは円錐台のスリーブで、その後部はその前部より大きく、収斂性のあるデザインなので、前記前カバーは風向誘導装置と組み合わせて、合理的な流れ路に形成し、そして、混合流羽根車とともに、気流を螺旋状で、高圧高速度で流出させ、気流の拡散性が小さく、かつ標的性が強い。
【図面の簡単な説明】
【００１５】
以下は図と好ましい実施形態をまとめって、本考案の内容をいっそう詳しく説明する。
【図１】本考案の一つの好ましい実施形態の混合流扇風機の立体図を示す。
【図２】本考案の一つの好ましい実施形態の混合流扇風機の立体分解図を示す。
【図３】本考案の一つの好ましい実施形態の混合流扇風機の混合流羽根車の立体図を示す。
【図４】本考案の一つの好ましい実施形態の混合流扇風機の羽根車の上面図を示す。
【図５】本考案の一つの好ましい実施形態の混合流扇風機の羽根車の正面図を示す。
【考案を実施するための形態】
【００１６】
図１と図２に示すように、混合流扇風機は、一つの後カバー１００と、一つの混合流羽根車２００と、一つの風向誘導装置３００と、一つのモーター４００と、一つの前カバー５００を有する。
【００１７】
前記後カバー１００は円柱状のスリーブで、それに、流体集積の役割を果たすために、前記円柱状のスリーブの後開口部は風向誘導用の回転面で、その外側は裏側より大きい。いったんモーターが働くと、前記後カバー１００が防護カバーと流体集積装置として、特に流体集積装置として、気流を羽根路に円滑に吸い込むことができる。
【００１８】
前記風向誘導装置３００には一つの外スリーブ３１０と、一つの内スリーブ３２０と、そして五つの固定羽根３３０とがあり、前記固定羽根３３０は前記外スリーブ３１０と内スリーブ３２０の間に均一間隔で配列して固定される、前記内スリーブ３２０の内部はホルダー３２１に形成する。本実施形態には、混合流羽根車２００に加速された高速高静圧気流が高速で、螺旋状で前に流れることを誘導するために、前記固定羽根３２０はらせん状の羽根にデザインされるが、これに限定するのではなく、均等な厚さの弧形の羽根や、または傾斜状の羽根や、または対数インボリュートの曲線を有する羽根でもよい。
【００１９】
前カバー５００は円錐台のスリーブで、その後部はその前部より大きい。
【００２０】
前記風向誘導装置３００の外スリーブ３１０は前カバー５００と後カバー１００の間に同軸に固定され、そして、後カバー１００と、風向誘導装置３００と、前カバー５００を一体に固定され、本体になる。
【００２１】
前記モーター４００は内スリーブ３２０のホルダー３２１に固定され、そして、前記モーター４００には一つの出力軸がある。
【００２２】
図３、図４、図５に示すように、前記混合流羽根車２００は気流に作用し、気流を羽根のカーブ接線の通常方向に加速させて流れる。前記混合流羽根車２００には一つのハブ２１０と、ハブ２１０の外周面に均一間隔で固定された五つの回転羽根２２０とがあり、前記ハブ２１０と五つの回転羽根２２０は一体成形される。本実施形態には、前記回転羽根２２０の形は均等厚さの弧形で、その曲げ係数Kは１.１２〜０.６８で、前記回転羽根２２０の投影は高効率、低騒音の前傾型で、その最大前傾角度Ａは１１度で、前記回転羽根２２０の取り付け角度Ｂは３５度で、前記回転羽根２２０の空間歪曲Ｃは−９度、前記ハブ比Ｅは０.４２で、前記回転羽根２２０のカーブは対数インボリュートの曲線で、前記ハブ２１０の正面は平面２１１で、その背面は放物線カーブである。本羽根車の性能曲線は緩やかで、操作モードが広く、適用性が良い。本実施形態の混合流羽根車２００の流量は大きく、風圧が高く、たとえば、直径の３３.３ｃｍの混合流羽根車とすると、その流量は１５５０〜１８００ｍ３／ｈまで、その風圧は１６０〜２２０Ｐａまで達せられる。
【００２３】
図１と図２に示すように、前記混合流羽根車２００を定位させ、そして、前記混合流羽根車２００を動かせるために、前記モーター４００の出力軸はハブ２１０と固定される。本実施形態には、前記モーター４００は混合流羽根車２００の前に位置し、前記混合流羽根車２００は後カバー１００の中に位置する。
【００２４】
本実施例の混合流扇風機は、強い風圧と強い風量が産生でき、家庭や、事務所や、それに工業企業の乾燥や空気交換に適用するが、特にエアコン類として、温度を均一にし、エネルギーを節約でき、環境と健康に役立つことが可能である。
【００２５】
以上のように、本考案でただ好ましい実施例を開示したが、本考案のデザインアイディアはこれに限定されるものではなく、当業者が、本考案のアイディアと範囲に基づいて色々変形させることは可能であり、それらは本考案の請求項の保護範囲から排除するものではない。
【符号の説明】
【００２６】
後カバー１００
混合流羽根車２００
風向誘導装置３００
モーター４００
前カバー５００
外スリーブ３１０
内スリーブ３２０
固定羽根３３０
ホルダー３２０
ハブ２１０
回転羽根２２０
【図１】
0003161003.tif 000003
【図２】
0003161003.tif 000004
【図３】
0003161003.tif 000005
【図４】
0003161003.tif 000006
【図５】
0003161003.tif 000007